(57)【要約】【課題】本発明は、上記事情に鑑みてなされたものであり、指間に仕切り編地を有する指袋付き編地において、指袋の周長の設計が容易な指袋付き編地を提供することを目的とする。【解決手段】筒状に形成される胴部と、筒状に形成され、且つ一体的に編み付けられた仕切り編地により内部を複数の指袋に分割される指先部とから構成される、仕切りを有する指袋付き編地であって、指先部は、コース方向の一端側で編目が胴部のウエール方向端部の編目と接続されると共に、コース方向の他端側で編糸がＣ字状に折り返されて先端が閉じた形状を成し、仕切り編地は、ウエール方向の始端と終端とが前記指先部と接続されており、胴部のウエール方向と、指先部のウエール方向とが、交差の関係にある指袋付き編地とすることで、各指袋の編成コース数を適宜調整するだけで指袋の周長を容易に設計することができる。【選択図】図１
2016075009.tif 000002
【特許請求の範囲】
【請求項１】
左右方向に延び、かつ、前後方向に互いに対向する少なくとも前後一対の針床を有し、前後の針床間で編目の目移しが可能な横編機を用いて編成され、筒状に形成される胴部と、筒状に形成され、且つ一体的に編み付けられた仕切り編地により内部を複数の指袋に分割される指先部とから構成される、仕切りを有する指袋付き編地であって、
指先部は、コース方向の一端側で編目が胴部のウエール方向端部の編目と接続されると共に、コース方向の他端側で編糸がＣ字状に折り返されて先端が閉じた形状を成し、
仕切り編地は、ウエール方向の始端と終端とが前記指先部と接続されており、
胴部のウエール方向と、指先部のウエール方向とが、交差の関係にあることを特徴とする、仕切りを有する指袋付き編地。
【請求項２】
胴部のウエール方向端部は、編幅を段階的に減らす引き返し編みにより形成される円弧状の輪郭を有し、指先部は、円弧状の輪郭上の編目に接続されることを特徴とする、請求項１に記載の仕切りを有する指袋付き編地。
【請求項３】
仕切りを有する指袋付き編地は５本指靴下であり、
指先部の編幅が親指側から小指側に向けて段階的に減少することを特徴とする、請求項１または請求項２に記載の仕切りを有する指袋付き編地。
【発明の詳細な説明】
【技術分野】
【０００１】
本発明は、横編機を用いて編まれる、内部に仕切りを有する指袋付き編地に関する。
【背景技術】
【０００２】
従来より、左右方向に延び、かつ、前後方向に互いに対向する少なくとも前後一対の針床を有し、前後の針床間で編目の目移しが可能な横編機を用いて、筒状の編地本体と、この編地本体の筒内部に形成され、筒内部を複数の筒部に分割する少なくとも一つの仕切り編地とを備える筒状編地を編成する方法として、下記の特許文献１に記載の方法がある。この方法は、一筆書きの要領で一つの給糸口により給糸しながら、前後の針床を用いて編地本体を筒状に編成するとともに、前後一方の針床を用いて仕切り編地を編成している。
【０００３】
このように編成することで、例えば、カバンやバックなどを、その外装が編地本体で形成されるとともに、外装の内部を仕切り編地で仕切ったデザインにすることが可能となる。また、手袋や靴下などを、その外装が編地本体で形成されるとともに、外装の内部を指毎に仕切り編地で仕切って、外観は指袋を有さない手袋や靴下でありながら内部を仕切ったデザインにすることが可能となる。
【先行技術文献】
【特許文献】
【０００４】
【特許文献１】特許第４７６９０５９号公報
【発明の概要】
【発明が解決しようとする課題】
【０００５】
特許文献１に示される筒状編地は編成効率に優れるが、５本指靴下などでは指袋の周長の設計に関しての自由度が十分ではない場合があった。例えば各指袋の周長を大きくしたい場合には、履き口から指の付け根までを収める胴部分の編幅よりも、複数の指袋が連結して成る指先部の編幅を広げる必要がある。胴部分の終端で編幅を徐々に広げていき、続けて指先部の編成に移行することで実現できるが、編幅を急激に広げることができないため胴部分の終端付近の周長は大きくなり、着用時にダブつきが生じることがある。なお、このことは靴下に限らず、指間に仕切りを有するミトン状の手袋などにも当てはまる。
【０００６】
本発明は、上記事情に鑑みてなされたものであり、その目的とするところは、指間に仕切り編地を有する指袋付き編地において、指袋の周長の設計が容易な指袋付き編地を提供することにある。
【課題を解決するための手段】
【０００７】
本発明は、左右方向に延び、かつ、前後方向に互いに対向する少なくとも前後一対の針床を有し、前後の針床間で編目の目移しが可能な横編機を用いて編成され、筒状に形成される胴部と、筒状に形成され、且つ一体的に編み付けられた仕切り編地により内部を複数の指袋に分割される指先部とから構成される、仕切りを有する指袋付き編地であって、
指先部は、コース方向の一端側で編目が胴部のウエール方向端部の編目と接続されると共に、コース方向の他端側で編糸がＣ字状に折り返されて先端が閉じた形状を成し、
仕切り編地は、ウエール方向の始端と終端とが前記指先部と接続されており、
胴部のウエール方向と、指先部のウエール方向とが、交差の関係にあることを特徴とする、仕切りを有する指袋付き編地である。
【０００８】
また本発明は、胴部のウエール方向端部は、編幅を段階的に減らす引き返し編みにより形成される円弧状の輪郭を有し、指先部は、円弧状の輪郭上の編目に接続されることを特徴とする。
【０００９】
また本発明は、仕切りを有する指袋付き編地は５本指靴下であり、
指先部の編幅が親指側から小指側に向けて段階的に減少することを特徴とする。
【発明の効果】
【００１０】
本発明では、胴部のウエール方向端部（終端）の編目と、指先部のコース方向の一端側の編目を接続して、胴部のウエール方向と指先部のウエール方向とが交差の関係となるように構成された、仕切りを有する指袋付き編地を得ることができる。各指袋の幅は、指先部において仕切り編地を形成するまでのコース数に応じて調整することが可能となり、指袋の周長の設計が容易となる。例えば、最初にサンプルとして編成した靴下を着用してみて、親指が窮屈であった場合は、親指袋の編成コース数を適宜増やすだけでサイズの調整が可能である。仕切り編地についても、ウエール方向の始端と終端とが指先部に接続される構成となるので、同様に編成コース数に応じて仕切りの高さを自由に設計することができる。ここで、ウエール方向とは、形成済みの編目がノックオーバーされて新たな編目が形成される方向（編地の丈方向）を意味し、コース方向とは、編成コースにより編目が形成される編幅方向を意味し、ウエール方向とコース方向とは直交する。
【００１１】
また本発明では、胴部のウエール方向端部に、編幅を段階的に減らす引き返し編みにより円弧状の輪郭を形成して、これを指先部に接続する構成とするので、円弧状にした胴部の終端の周長が長くなり、各指袋の幅を広く設計した場合でも胴部と指先部との周長の差を低減することができ、弛みを抑制できる。
【００１２】
また本発明では、仕切りを有する５本指靴下において、指先部の編幅が親指側から小指側に向けて段階的に減少するように構成するので、編幅を減らすだけで各指袋の長さを適切に形成することができる。
【図面の簡単な説明】
【００１３】
【図１】実施例１に示す仕切りを有する５本指靴下の外観上面斜視図である。
【図２】（ａ）は実施例１の仕切りを有する５本指靴下の編成工程イメージ図、（ｂ）は胴部と指先部とを接続した状態を示す図である。
【図３】実施例１に示す仕切りを有する５本指靴下に関して、胴部から指先部の途中までの編成工程を示す図である。
【図４】（ａ）は実施例２の仕切りを有する５本指靴下の編成工程イメージ図、（ｂ）は胴部と指先部とを接続した状態を示す図である。
【発明を実施するための形態】
【００１４】
以下、本発明の実施例では、５本指靴下を内部に仕切りを有する指袋付き編地として、図に基づいて説明する。
【００１５】
＜実施例１＞
図１は、本発明の実施例１に示す仕切りを有する５本指靴下１の外観上面斜視図である。５本指靴下１は、履き口１０、脚部９、踵部８、甲部６、底部７を有し、甲部６と底部７から成る胴部２の端部には、足の指を内包する袋状の指先部３が編成により接続されている。指先部３は、内部が４枚の仕切り編地５ａ〜５ｄにより仕切られて、５つの指袋４ａ〜４ｅに分割されている。胴部２のウエール方向Ｄ１は、履き口１０から指先部３との接続部分に向かう方向に延び、指先部３のウエール方向Ｄ２は、指袋４ａから指袋４ｅに向かう方向に延び、ウエール方向Ｄ１，Ｄ２は交差の関係にある。
【００１６】
図２（ａ）は、図１に示す５本指靴下１の編成工程イメージ図である。図中の矢印の向きに編成は進み、履き口１０から編み出して脚部９を所定のコース数で筒状に編成した後、前後いずれか一方の針床だけに給糸して公知の引き返し編成により踵部８を形成し、胴部２を所定のコース数で筒状に編成する。胴部２のウエール方向の端部（終端）ｘ−ｙと隣接するように、指先部３の編み出しｙ−ｚを形成する。以降は、編み出しｙ−ｚに続けて前後の針床に対して図の右側で折り返しながら編糸をＣ字状に給糸して指先部３を終端Ｘ−Ｚまで編成していく。指先部３の編成では、途中に前後の編地間に渡る仕切り編地５を形成しながらＣ字状の編成と胴部２側への寄せを繰り返していく。この編成により、指先部３はコース方向の一端側ｙ−Ｘの編目が胴部２の終端ｘ−ｙの編目と順次接続されて、最終的に図２（ｂ）に示すように、胴部２のウエール方向Ｄ１と指先部３のウエール方向Ｄ２が交差する形で両者が接続される。
【００１７】
図２における胴部２の終端に続く編成工程について、図３の編成工程図を用いて詳細に説明する。なお、実施例では、左右方向に延び、前後方向に互いに対向する少なくとも前後一対の針床を有し、前後の針床間で編目の目移しが可能な２枚ベッド横編機を用い、編針にはフックに編目を係止した状態でスライダーに他の編目を一時的に預けることが可能な複合針を用いる。もちろん、使用する横編機は上記に限らず、４枚ベッド横編機を用いても良いし、後述するようにべら針を備える２枚ベッド横編機を用いても良い。図中の左欄の「Ｓ＋数字」は編成工程の番号を示し、右欄には編成工程における編目の係止状態が示されている。ＦＢ，ＢＢはそれぞれ前針床と後針床を示し、矢印は編成の方向または編目の目移しの方向を示す。また、右欄の大文字アルファベットＡ〜ＷはＦＢの編針の位置を示し、小文字アルファベットａ〜ｗはＢＢの編針の位置を示す。右欄における各記号については、黒点がＦＢおよびＢＢに備わる編針、●は各編成工程で新たに編成される編目、破線の○は以前の編成コースで形成された編目、実線の○は目移しされる編目、◎は重ね目、ΛとＶは掛け目を示し、破線のΛも以前の編成コースで形成された掛け目を示す。▼は編針に編糸を供給するための給糸口１２を示す。なお、５本指靴下１の各部の編幅および編成に用いる編針の本数は説明を容易にするため少なくしているが、任意の本数を用いることができる。また、説明の途中では、図２に付したアルファベットｘ〜ｚ，Ｘ〜Ｚを用いることもある。
【００１８】
Ｓ０には、胴部２の甲部６の編目がＦＢの編針Ａ〜Ｌに、底部７の編目がＢＢの編針ａ〜ｌにより係止されている状態が示されている。ここに至るまでに、前記したように靴下１は履き口１０から編み出され、公知の編成により脚部９と踵部８を形成しながら胴部２が筒状に編成されている。
【００１９】
Ｓ１，Ｓ２では、胴部２のウエール方向端部（終端）の編目列ｘ−ｙが形成されると共に、ＦＢの編針Ｍ〜ＷとＢＢの編針ｍ〜ｗに掛け目をして指先部３の編み出しｙ−ｚが形成される。
【００２０】
Ｓ３，Ｓ４では、編み出しｙ−ｚに続いてＦＢの編針Ｍ〜ＷとＢＢの編針ｍ〜ｗに図の右側で折り返すようにＣ字状の給糸を行い、指袋４ａを編成し始める。Ｓ３とＳ４で形成した前後の編目列は、続くＳ５，Ｓ６で胴部２側に１目寄せられて、ＦＢの編針ＬとＢＢの編針ｌには重ね目が形成される。
【００２１】
Ｓ７では、目移しされた編目列に対して新たな編目を形成し、以降は指袋４ａの幅の分だけＳ７の編成を繰り返した後、Ｓ８の状態までＳ５〜Ｓ７と同様な編成を繰り返す。
【００２２】
Ｓ９では、ＦＢの編針Ｋ，Ｍ，Ｏ，Ｑ，Ｓのみを用いた針抜き編成で仕切り編地５ａの始端を指先部３の甲部６側から分岐し、続けてＳ１０でも同様に針抜きで編成を行う。Ｓ９，Ｓ１０の編成を所定のコース数繰り返すことで、所望の高さとなるように仕切り編地５ａを編成する。
【００２３】
Ｓ１１では、ＦＢの編針Ｋ，Ｍ，Ｏ，Ｑ，Ｓで係止する編目をＢＢの編針ｋ，ｍ，ｏ，ｑ，ｓへ目移しして重ね目を形成することで、仕切り編地５ａの終端の編目が指先部３の底部７側に接続される。これにより、指袋４ａは仕切り編地５ａにより分割された状態で編み終わる。
【００２４】
Ｓ１２では、ＦＢの編針Ｊ〜ＴとＢＢの編針ｊ〜ｔにＣ字状に給糸を行う。このとき、Ｓ１１での目移しにより空き針となったＦＢの編針Ｋ，Ｍ，Ｏ，Ｑ，Ｓには掛け目が形成され、続くＳ１３のＣ字状の給糸により再び編目が形成される。指袋の幅の分だけＳ１３の編成を繰り返した後、Ｓ５〜Ｓ１３と同様な編成を適宜繰り返すことで、複数の指袋４ｂ，４ｃ，４ｄ，４ｅが互いに仕切り編地５ｂ，５ｃ，５ｄで分割された状態で編成することができる。そして、Ｓ１４では公知の伏目により指袋４ｅの側端を閉じることで、本発明の実施例における仕切りを有する５本指靴下１を編み終える。
【００２５】
前述のように、本発明の実施例１では、編針としてフックに編目を係止した状態でスライダーに他の編目を一時的に預けることが可能な複合針を用いるので、目移し用の空き針を設ける必要がない。或いは４枚ベッド横編機であれば、５本指靴下１の編成を下側の前後針床で行い、上側の前後針床を目移し用とする場合も同様に空き針が不要となる。空き針を設けない場合は、５本指靴下１を総針で編成することができる。総針で編成される５本指靴下１は、指袋の締まりが良く、スポーツ用に最適である。また、針抜き編成に比べてピリングの発生を抑制できる効果も期待できる。逆に、２枚ベッド機でべら針を用いる場合は、目移し用の空き針を設けて針抜き編成を行うことになるが、汎用の横編機により本発明の仕切りを有する５本指靴下１を編成することができる。
【００２６】
ここで、指袋４ａの幅はＳ７の編成を繰り返すことで調整することができる。指先部３（指袋４ａ）はＳ５，Ｓ６の編成により胴部２に接続された後、所望のコース数だけＳ７の編成を繰り返した後、再び胴部２に接続されるが、この間、指先部３では胴部２と端部が接続されない編成コースが形成される。つまり、胴部２の終端ｘ−ｙの編目の数と、指先部３のコース方向端部Ｘ−Ｙに並ぶ編目の数とは一致しなくてもよい。従って、実施例１の５本指靴下１では、胴部２の終端の編目との接続を意識することなく、指先部３での各指袋４の幅を調整することができ、設計の自由度が高い。
【００２７】
しかし、指袋４の幅を大きくしすぎると、胴部２の終端の周長と、これに接続される指先部３の端部の周長との差が大きくなり、接続時に指袋３で弛みが生じる場合がある。このような場合の解決手段について、以下実施例２として説明する。
【００２８】
＜実施例２＞
図４（ａ）は、実施例２における５本指靴下１１の編成工程イメージ図であり、実施例１と共通する部分については同じ符号を付与している。実施例１との違いとしては、胴部２の終端ｘ−ｙに、編幅を段階的に減らす引き返し編成により形成される円弧状の輪郭を有する引き返し編み部１３を設ける点がある。
【００２９】
引き返し編み部１３は、筒状に形成される胴部２の甲部６と底部７の両方に続けて形成され、この終端の編目に対して指先部３の編目列が接続される。胴部２の終端の編幅は実施例１における編幅と同じであるが、引き返し編みにより隣接する編目間の距離が長くなるため、結果的に胴部２の終端の周長を長くすることができる。従って、胴部２の終端の周長と、これに接続される指先部３の端部の周長との差を小さくすることでき、弛みを低減する効果がある。
【００３０】
以上で説明した実施例では、各指袋４の幅は、甲部６と底部７で同等の場合を示したが、底部７側の編成コース数を多くすれば、着用時に指の裏側に膨らみを有する５本指靴下１，１１を形成することでき、フィット性が向上する。また、実施例では指先部３の内部に４枚の仕切り編地５を設けて、５本の指袋４を形成したが、仕切り編地の枚数は任意であり、複数本の指を内包する指袋を形成しても良い。
【００３１】
また、実施例では５本指靴下１，１１について説明したが、仕切りを有する指袋付き編地としては、指間に仕切りを有するミトン状の手袋でも良く、踵や脚部を供えない形状の靴下でもよい。
【符号の説明】
【００３２】
１，１１  指袋付き編地（５本指靴下）
２    胴部
３    指先部
４，４ａ，４ｂ，４ｃ，４ｄ，４ｅ  指袋
５，５ａ，５ｂ，５ｃ，５ｄ  仕切り編地
６    甲部
７    底部
８    踵部
９    脚部
１０  履き口
１２  給糸口
１３  引き返し編み部
Ｄ１  胴部のウエール方向
Ｄ２  指先部のウエール方向
【図１】
2016075009.tif 000003
【図２】
2016075009.tif 000004
【図３】
2016075009.tif 000005
【図４】
2016075009.tif 000006